(57)【要約】      （修正有）【課題】容易に挿入することができ、付け替え作業を素早く行うことができる携帯型情報端末用装飾具を提供する。【解決手段】携帯型情報端末用装飾具１は、特徴的な外観を備えた装飾部材２と、装飾部材２の先端には、前後の形状が対称に形成されてなる平板状の固定端子３が設けられ、固定端子３は、前後の形状が対称に形成されてなる携帯型情報端末Ｐの外表面に形成された挿入孔５に前後自在に挿入されることにより、装飾部材２を携帯型情報端末Ｐに対して着脱可能に固定することを特徴とする。【選択図】図１
0003203319.tif 000002
【実用新案登録請求の範囲】
【請求項１】
前面に表示画面を備える携帯型情報端末に取り付けて使用される携帯型情報端末用装飾具であって、
特徴的な外観を備えた装飾部材と、
前記装飾部材の先端には、前後の形状が対称に形成されてなる平板状の固定端子が設けられ、
前記固定端子は、前後の形状が対称に形成されてなる前記携帯型情報端末の外表面に形成された挿入孔に前後自在に挿入されることにより、前記装飾部材を前記携帯型情報端末に対して着脱可能に固定する
ことを特徴とする携帯型情報端末用装飾具。
【請求項２】
前記装飾部材の先端部には、屈曲自在の吊下げ部材が形成されてなり、
前記固定端子は、前記吊下げ部材の先端に設けられてなる
ことを特徴とする請求項１に記載の携帯型情報端末用装飾具。
【考案の詳細な説明】
【技術分野】
【０００１】
本考案は、携帯型情報端末に取り付けて使用する携帯型情報端末用装飾具に関する。
【背景技術】
【０００２】
従来携帯型情報端末を装飾する装飾具としては、特徴的な形状を備えた装飾部、及び当該装飾部に設けられた紐状部材とを有するストラップ型の装飾具がよく用いられている。ストラップ型の装飾具は、前記紐状部材を介して携帯型情報端末の外表面と結合されて、携帯型情報端末から吊り下げられた状態で使用される。
【先行技術文献】
【特許文献】
【０００３】
【特許文献１】特開２０１２−０００２６８号公報
【考案の概要】
【考案が解決しようとする課題】
【０００４】
しかし、前記従来の装飾具では、携帯型情報端末に結び付ける必要があり、装飾具を頻繁に付け替える作業には手間がかかっていた。
【課題を解決するための手段】
【０００５】
そこで、上記課題を解決するための手段として本考案に係る携帯型情報端末用装飾具は、前面に表示画面を備える携帯型情報端末に取り付けて使用される携帯型情報端末用装飾具であって、特徴的な外観を備えた装飾部材と、前記装飾部材の先端には、前後の形状が対称に形成されてなる平板状の固定端子が設けられ、前記固定端子は、前後の形状が対称に形成されてなる前記携帯型情報端末の外表面に形成された挿入孔に前後自在に挿入されることにより、前記装飾部材を前記携帯型情報端末に対して着脱可能に固定することを特徴とする。
【０００６】
また、前記携帯型情報端末用装飾具は、前記装飾部材の先端部には、屈曲自在の吊下げ部材が形成されてなり、前記固定端子は、前記吊下げ部材の先端に設けられてなることを特徴とするものであってもよい。
【０００７】
携帯型情報端末に設けられた挿入孔は、携帯型情報端末の外面であればどこに設けられていてもよい。挿入孔は、イヤホンジャック及び充電用端子孔のいずれかであることが好ましい。挿入孔がイヤホンジャック及び充電用端子孔のいずれかであれば、携帯型情報端末用装飾具の固定端子を挿入することによって、挿入孔の内部へ埃や水などの異物が侵入することを防ぐことができるからである。
【０００８】
装飾部材は、金属、樹脂、若しくは木材、またはこれらの材料を組み合わせてなる固形部材であることが好ましい。また、装飾部材の形状は、正面及び背面が区別可能な板状体、若しくは正面及び背面が明瞭でない曲面からなる立体に形成されてもよい。
【０００９】
吊下部材は、柔軟に曲げることができる細長の部材であることが好ましく、具体的には、鎖状部材若しくは紐状部材であることが好ましい。
【考案の効果】
【００１０】
固定端子の形状は前後に対称な形状に形成されてなることにより、同じく前後に対称な形状に形成されてなる挿入孔に対して前後を視認しながら挿入しなくても容易に挿入することができ、携帯型情報端末用装飾具の付け替え作業を素早く行うことができる。
【００１１】
装飾部材の先端部に吊下部材が設けられてなることで、装飾部材が携帯型情報端末に固定された状態であっても装飾部材を好みの方向に向ける、若しくは自由に揺動させることができ、装飾として変化に富んだ外観を楽しむことができる。
【図面の簡単な説明】
【００１２】
【図１】本考案に係る携帯型情報端末用装飾具１の全体の概要を示すと共に、携帯型情報端末用装飾具１を取り付ける携帯型情報端末Ｐとの位置関係を示す図である。
【図２】携帯型情報端末用装飾具１を携帯型情報端末Ｐに取り付けた状態を示す図である。
【図３】本考案に係る携帯型情報端末用装飾具１０の全体の概要を示すと共に、携帯型情報端末用装飾具１０を取り付ける携帯型情報端末Ｐとの位置関係を示す図である。
【図４】携帯型情報端末用装飾具１０を携帯型情報端末Ｐに取り付けた状態を示す図である。
【考案を実施するための形態】
【００１３】
以下、本考案に係る実施の形態を、図を参照しながら詳しく説明する。
【００１４】
図１は、本考案に係る第一の実施の形態に係る携帯型情報端末用装飾具１の全体の概要を示すと共に、携帯型情報端末用装飾具１を取り付ける携帯型情報端末Ｐとの位置関係を示す図である。携帯型情報端末Ｐは前面に表示部Ｄを備えてなる。
【００１５】
携帯型情報端末用装飾具１は、装飾部材２、及び装飾部材２の先端に設けられてなる固定端子３を備えてなる。装飾部材２は、本実施の形態において二本足で立ち上がった熊のキャラクターを模した立体形状の人形に形成されてなる。
【００１６】
固定端子３は、前後に対称な形状を有する平板状に形成されてなり、横断面が長円形状に形成されてなる。本実施の形態において、固定端子３はＣタイプＵＳＢ端子の形状であることが好ましい。
【００１７】
携帯型情報端末Ｐの底面４には、固定端子３を挿入することができる挿入孔５が形成されてなる。本実施の形態において、前記挿入孔５は携帯型情報端末Ｐの充電コードが接続可能に形成されてなる充電用端子穴である。ここで、挿入孔５も前後の形状が対称に形成されてなるため、固定端子３は前後自在に挿入することができ、装飾部材２を携帯型情報端末Ｐに対して着脱可能に固定することができる。
【００１８】
図２は、固定端子３を挿入孔５に挿入して固定し、携帯型情報端末用装飾具１を携帯型情報端末Ｐに取り付けた状態を示す。
【００１９】
固定端子３は、挿入孔５の内面に密着しながら挿入されるため、取り付けられた携帯型情報端末用装飾具１は携帯型情報端末Ｐの底面４が下方を向いただけでは抜け落ちることがない。
【００２０】
また、固定端子３を挿入孔５に挿入することで、挿入孔５の内部へ埃や水などの異物が侵入することを防ぐことができる。
【００２１】
図３は、本考案に係る第二の実施の形態に係る携帯型情報端末用装飾具１０の全体の概要を示すと共に、携帯型情報端末用装飾具１０を取り付ける携帯型情報端末Ｐとの位置関係を示す図である。携帯型情報端末Ｐは前面に表示部Ｄを備えてなる。
【００２２】
携帯型情報端末用装飾具１０は、イチゴの形状を模した板状体に形成された装飾部材１２を備えてなる。装飾部材１２は、図３において視認できる幅広な表面が、イチゴの果肉及びへたを模した外形に形成されると共に、当該面内には種が表現されることで特徴面１６が形成される。一方、図３において装飾部材１２の視認できない裏面は通常面１７に形成されてなる。板状体である装飾部材１２の側周面における当該イチゴの果肉とへたとの境目部分には、複数の輪環１９、１９が連結されてなる吊下げ部材１８が設けられてなる。
【００２３】
吊下部材１８は、複数の輪環１９、１９が互いにずれ動き可能な状態で連結されてなることによって屈曲自在に形成されている。また、吊下部材１８の先端には固定端子１３が連結されてなる。
【００２４】
固定端子１３は、前後に対称な形状を有する平板状に形成されてなり、横断面が長方形状に形成されてなる。本実施の形態において、固定端子１３はライトニングタイプの端子形状であることが好ましい。
【００２５】
固定端子１３の基端部２０には連結孔２１が設けられており、当該連結孔２１に先端側の輪環１９が挿通されることで吊下部材１８と連結されてなる。
【００２６】
携帯型情報端末Ｐの底面１４には、固定端子１３を挿入することができる挿入孔１５が形成されてなる。本実施の形態において、前記挿入孔１５は携帯型情報端末Ｐの充電コードが接続可能に形成されてなる充電用端子穴である。ここで、挿入孔１５も前後の形状が対称に形成されてなるため、固定端子１３は前後自在に挿入することができ、装飾部材１２を携帯型情報端末Ｐに対して着脱可能に固定することができる。なお、固定端子３と固定端子１３の形状は、装飾部材２及び装飾部材１２のいずれにも適用することができる。
【００２７】
図４は、固定端子１３を挿入孔１５に挿入して固定し、携帯型情報端末用装飾具１０を携帯型情報端末Ｐに取り付けた状態を示す。
【００２８】
固定端子１３は、挿入孔１５の内面に密着しながら挿入されるため、取り付けられた携帯型情報端末用装飾具１０は携帯型情報端末Ｐの底面１４が下方を向いただけでは抜け落ちることがない。
【００２９】
また、固定端子１３を挿入孔１５に挿入することで、挿入孔１５の内部へ埃や水などの異物が侵入することを防ぐことができる。
【符号の説明】
【００３０】
１、１０    携帯型情報端末用装飾具
２、１２    装飾部材
３、１３    固定端子
５、１５    挿入孔
Ｐ          携帯型情報端末
【図１】
0003203319.tif 000003
【図２】
0003203319.tif 000004
【図３】
0003203319.tif 000005
【図４】
0003203319.tif 000006